(57)【特許請求の範囲】
【請求項１】
顧客が所持する移動機から入力する給油のための設定データをインターネットを介して受信する給油所に設けられたサーバを構成する送受信装置と、該送受信装置から受信した設定データを送信して給油開始を指示するとともに給油データを受信して給油料金の精算処理を行なう前記給油所に設けられたＰＯＳ端末を構成する給油所販売装置と、該給油所販売装置から設定データを受信し給油指示に基づいて給油を開始し給油終了により給油データを前記給油所販売装置へ送信する前記給油所のアイランド上に設けられた自動給油装置とを備え、前記移動機により入力される設定データは、給油料金の支払方法を含み、前記給油所販売装置は、前記設定データの支払方法が引落しのとき、給油所の外部にある代金引落しセンターから電話料金に含めて給油料金を引落して精算を行なうことことを特徴とする給油所。
【発明の詳細な説明】
【０００１】
【産業上の利用分野】
本発明は、携帯電話等の移動体により給油データを入力して給油できる給油所に関するものである。
【０００２】
【従来の技術】
近年、携帯電話等による移動体通信が急速に普及し、音声通話以外にも電子メールあるいはインターネットのウェブサーバにアクセスして情報を取得するデータ通信ができるようになっている。一方、従来の給油所においては、給油装置本体に設けられたデータ入出力装置、あるいは給油装置に併設された屋外データ入出力装置により、油種や給油量等の給油データを入力している。そして、本出願人は、データ入出力装置に設けられた可搬式データ入力機により車に居ながらにして給油データを入力し、給油作業員によらず給油できる自動給油装置を提案している。
【０００３】
【発明が解決しようとする課題】
上記のような自動給油装置等では、給油作業員によらず自動的に給油できる点で有効であるが、設定データを入力するためのデータ入力装置を給油装置に対応して別途設ける必要があり、そのため設備投資に掛かる費用が嵩むという問題点があった。
【０００４】
本発明は上記事情に鑑みなされたもので、顧客が所持する携帯電話機等の移動機により給油のための設定データを簡単に入力でき設備投資に掛かる費用を低減できる給油所を提供することを目的とする。
【０００５】
【課題を解決するための手段】
上記目的を達成するために請求項1に記載の発明にあっては、顧客が所持する移動機から入力する給油のための設定データをインターネットを介して受信する給油所に設けられたサーバを構成する送受信装置と、該送受信装置から受信した設定データを送信して給油開始を指示するとともに給油データを受信して給油料金の精算処理を行なう前記給油所に設けられたＰＯＳ端末を構成する給油所販売装置と、該給油所販売装置から設定データを受信し給油指示に基づいて給油を開始し給油終了により給油データを前記給油所販売装置へ送信する前記給油所のアイランド上に設けられた自動給油装置とを備え、前記移動機により入力される設定データは、給油料金の支払方法を含み、前記給油所販売装置は、前記設定データの支払方法が引落しのとき、給油所の外部にある代金引落しセンターから電話料金に含めて給油料金を引落して精算を行なうことことを特徴とするものである。顧客が所持する携帯電話機等の移動機により給油のための設定データを簡単に入力でき設備投資に掛かる費用を低減できる。また、給油料金を電話料金に含めて引落すことで精算が簡単になる。
【０００８】
【発明の実施の形態】
以下、本発明を図示の一実施例により具体的に説明する。図１〜図４は本発明実施形態の自動給油装置を備える給油所を説明する図であり、図１は給油所の構成を説明する図、図２は給油所の自動給油装置の正面図、図３はノズル機構の拡大断面図、図４は携帯電話機による給油データを設定するための表示画面例を説明する図である。
【０００９】
これらの図において、本実施形態の給油所１０は、給油エリア１のアイランド２上に設けられた自動給油装置２０と、給油所敷地内の事務所の建物３内等に配置されインターネットに接続されて携帯電話機等の移動機４との間で設定データの送受信を行うサーバを構成する送受信装置１１と、この送受信装置１１からの設定データを受信して自動給油装置２０へ設定データを送信するとともに給油を指示し、給油終了後には給油データを自動給油装置２０から受信して精算処理を行うＰＯＳ端末を構成する給油所販売装置１２とを備えている。そして、顧客自身が所持する移動機４によりインターネットを介して送受信装置１１へアクセスし給油のための設定データを入力し、その設定データが送受信装置１１から給油所販売装置１２へ送信され、給油所販売装置１２が自動給油装置２０へ設定データを送信するとともに給油開始を指示し、自動給油装置２０が給油エリア１に停車した顧客の自動車５へ自動給油し、給油終了後には給油データを給油所販売装置１２へ送信し、それに基づいて給油所販売装置１２が精算処理を行い給油所の外部にある代金引落しセンター１３から、例えば、電話料金等に含めて給油代金を引落すようになっている。
【００１０】
自動給油装置２０は、アーム移動式の給油機構を有し給油エリア１に停車した自動車５の給油口の位置に応じてノズル機構を自動的に移動して給油する装置であり、アイランド２上のベースプレート２１の上部に立設された細長い支柱２２と、この支柱２２の上端部に一端部が回動するよう連結された第１のアーム２３と、この第１のアーム２３の他端部に一端部が回動するよう連結された第２のアーム２４と、この第２のアーム２４の他端部に回動するよう連結されたノズル機構２５とを備えている。この自動給油装置２０は、ベースプレート２１に設けられた左右移動装置２６により、細長く形成されたアイランド２に設けられた図示しないレールに沿って左右に移動するようになっている。支柱２２は、自動車５の高さより十分に高く形成され、第１のアーム２３は、水平に回動したとき、その端部が給油エリア１に停車する自動車５の上部に位置する程度の長さに形成され、第２のアーム２４は、端部側を斜め下方に回動したとき自動車５の反対側の給油口に届く程度の長さに形成されている。また、支柱２２の頂部には、自動車の進入可否を青色または赤色で点灯して表示する進入可否ランプ２７が設けられ、その進入可否ランプ２７の正面側下部の表示領域２８には、その自動給油装置を識別する番号を示す、例えば、「２」等が表示されている。第１のアーム２３の端部には、給油エリア１に停車する自動車５の給油位置がどちら側にあるかを検知する給油位置センサ２９が取り付けられている。さらに、給油エリア１に面したアイランド２側面の進入口側には自動車５の進入を検知する進入センサ３０が設けられている。
【００１１】
アイランド２の下部の地下には、給油機構を構成するそれぞれレギュラーガソリン、ハイオクタンガソリン及び軽油の貯油タンクに接続された給油管３１ａ，３１ｂ，３１ｃが途中にポンプ３２ａ，３２ｂ，３２ｃ及び流量計３３ａ，３３ｂ，３３ｃを介装して配置され、それぞれホース３４ａ，３４ｂ，３４ｃが接続され支柱２２内に導入されている。これらのホース３４ａ，３４ｂ，３４ｃは、それぞれ支柱２２、第１のアーム２３、第２のアーム２４の内部の配管３５を介してノズル機構２５の給油ノズルに接続されている。支柱２２、第１のアーム２３、第２のアーム２４の内部の配管３５は、連結部分における回動が可能なように、例えば、回転継手やホース等により連結されている。
【００１２】
ノズル機構２５は、図３に示すように、その本体３７が短いケース状に形成され、その本体３７の端部が第２のアーム２４の端部に回動するように連結され、他端部側は細長く突出され先端部が開口された吐出管３８に形成されている。この吐出管３８内には、給油ノズル３９ａ，３９ｂ，３９ｃが配置され、それぞれの給油ノズル３９ａ，３９ｂ，３９ｃは、先端部側が吐出管３８の開口部に臨まされ、他端部側が伸縮自在な蛇腹管４０ａ，４０ｂ，４０ｃ及び開閉弁４１ａ，４１ｂ，４１ｃから配管３５を介してホース３４ａ，３４ｂ，３４ｃに接続されている。そして、吐出管３８の先端側には、挿入センサ４２とベーパ吸引口４３が設けられ、このベーパ吸引口４３は油種センサ４４を介して吸引ポンプ４５に接続されている。また、吐出管３８が形成された側の本体３７には、自動車５の給油口を検知するための給油口センサ４６が設けられている。
【００１３】
また、自動給油装置２０は、それぞれポンプ３２、流量計３３、開閉弁４１、油種センサ４４、吸引ポンプ４５、挿入センサ４２、給油口センサ４６、及び左右移動装置２６に接続されて給油制御、左右移動やアームの動作制御を行うとともに給油所販売装置１２との間で設定データや給油データを送受信する制御装置３６が設けられている。
【００１４】
送受信装置１１は、事務所の建物３内に配置されインターネットに接続されたサーバであり、移動機４からアクセスすることで給油のための設定データを入力するための画面を移動機４に提供し、移動機４で入力された設定データを受信して給油所販売装置１２へ送信する。給油所販売装置１２は、送受信装置１１から送信されてきた設定データを受信し、所定の自動給油装置２０に設定データを送信するとともに給油開始の指示を与え、給油終了後には自動給油装置２０から送られてきた給油データに基づき給油料金を計算し、支払方法が引落しのときには代金引落しセンター１３から電話料金に含めて引落す精算処理を行う。
【００１５】
次に、移動機４から設定データの入力例を具体例で説明する。まず、移動機４を操作することで、給油所１０の送受信装置１１へインターネットを介してアクセスすると、送受信装置１１から給油のための設定データを入力するための画面が提供され、移動機４の表示部に表示される。例えば、図４に示すように、「○○給油所  ご利用有り難うございます」の表示下部に、「油種を選択して下さい１．レギュラー  ２．ハイオク  ３．  軽油」が表示される。この画面において、例えば、１を選択すると、油種としてレギュラーガソリンが選択され、「油種＜レギュラー＞」の表示下部に「給油量を設定してください＜    ＞リットル」が表示される。この画面において、例えば、２０を入力すると、給油量２０リットルが設定され、「給油量＜２０＞」の表示下部に、「給油装置番号を入力してください＜  ＞」が表示される。この画面において、例えば、２を入力すると、給油装置番号２が設定され、「給油装置番号＜２＞」の表示下部に、「支払方法を選択して下さい  １．現金  ２．引落し」が表示される。この画面において、例えば、２を選択すると、支払方法として引落しが選択され、「支払方法＜引落し＞」の表示下部に、「１．確認  ２．修正」が表示される。この画面において、例えば、１を選択すると、設定データが移動機４からインターネットを介して送受信装置１１へ送信されるとともに、選択あるいは入力された設定データの全ての項目の表示と、「給油できます」が表示される。なお、修正する場合には、２．修正を選択することで初期画面に戻り再び同様にして選択または入力を行なう。
【００１６】
移動機４から設定データを受信した送受信装置１１は、そのデータを給油所販売装置１２へ送信する。給油所販売装置１２は、設定データの給油装置番号を判断し、対応する自動給油装置２０へ設定データを送信するとともに給油開始指示を与える。設定データを受信した自動給油装置２０は、制御装置３６の制御の元に、給油エリア１に停車している自動車５の給油口の位置を給油位置センサ２９で検出し、それに基づいて左右移動装置２６を駆動するとともに第１及び第２のアーム２３，２４を回動させ、ノズル機構２５を自動車の給油口に近づける。そして、ノズル機構２５先端の吐出管３８を給油口に向けて差し込む。挿入センサ４２が給油口への吐出管３８の差し込みを検知した後、吸引ポンプ４５が駆動され給油口内のベーパーが吸引され、油種センサ４４により油種が検知され、設定データの油種と一致していることを確認して、ポンプ３２が駆動され給油が開始する。貯油タンク内の油は、給油管３１を通してポンプ３２で圧送され、流量計３３、ホース３４、配管３５、開閉弁４１、蛇腹管４０、及び給油ノズル３９を介して給油口内へ吐出される。このとき、液圧により蛇腹管４０が伸びて給油ノズル３９の先端部が吐出管３８の開口から突出され、給油口内へ深く挿入されるため、油が給油口から外に飛び散ることがない。制御装置３６は、流量計３３で計測される流量を計数し、設定された給油量に達したときにポンプ３２を停止し、給油を終了するとともに、給油データを給油所販売装置１２へ送信する。給油データを受信した給油所販売装置１２は、設定データで設定されている支払方法に基づいて、例えば、引落しの場合には、給油料金を算出して代金引落しセンター１３から電話料金等に含めて引落し機ｋ精算処理を行う。自動給油装置２０は、制御装置３６の制御の元に、第１及び第２のアーム２３，２４、ノズル機構２５の回動を制御するとともに、左右移動装置２６を駆動することで、初期の状態に移動する。
【００１７】
上記構成の給油所１０では、給油する顧客が所持する移動機４を用いて、その給油所の送受信装置１１へインターネットを介してアクセスし、給油のために与えられた画面に基づいて設定データを入力して送信することで、その設定データが給油所販売装置１２から所定の自動給油装置２０へ送信され、給油エリア１に停車した自動車５の給油口を検知してノズル機構２５を給油口に向けて移動し、給油ノズル３９を給油口に差し込んで設定データに基づいて給油を行い、流量計３３が計測した流量を計数し、設定されて流量に達したときに給油を終了し、給油データを給油所販売装置１２へ送信し、支払方法に基づいて精算処理が行われる。したがって、インターネットに接続される簡単なパーソナルコンピュータで構成される送受信装置１１を設けるだけで、従来のように給油装置に対応させてデータ入出力装置を別途設ける必要がなくなり、設備投資に掛かる費用を低減することが可能になる。
【００１８】
なお、上記実施形態においては、給油所１０に自動給油装置２０を設けた例を説明したが、作業員が給油作業を行う給油装置あるいは他の任意の給油装置に適用することができる。また、給油料金の支払方法は、現金、クレジットカード、デビットカード等でもよく実施形態に限定されない。さらに、実施形態の移動機４から入力する設定項目や表示形態は一例であり任意に決めることができる。
【００１９】
【発明の効果】
以上説明したように、本発明によれば、顧客が所持する携帯電話機等の移動機によりインターネットを介して接続された給油所側にある送受信装置にアクセスし、給油のための設定データを入力して送受信装置へ送信し、その設定データを給油所販売装置が所定の給油装置へ送信し、給油装置が設定データに基づいて給油し、給油終了後に給油データを給油所販売装置へ送信し、そこで給油料金の精算処理を行うことで、設定データの入力が簡単になり設備投資に掛かる費用を低減できる。
【図面の簡単な説明】
【図１】本発明実施形態の給油所の構成を説明する図である。
【図２】本発明実施形態の給油所の自動給油装置の正面図である。
【図３】本発明実施形態のノズル機構の拡大断面図である。
【図４】本発明実施形態の携帯電話機による給油データを設定するための表示画面例を説明する図である。
【符号の説明】
１  給油エリア
２  アイランド
３  建物
４  移動体
５  自動車
１０  給油所
１１  送受信装置
１２  給油所販売装置
１３  代金引落しセンター
２０  自動給油装置
２１  ベースプレート
２２  支柱
２３  第１のアーム
２４  第２のアーム
２５  ノズル機構
２６  左右移動装置
２７  進入可否ランプ
２８  表示領域
２９  給油位置センサ
３０  進入センサ
３１  給油管
３２  ポンプ
３３  流量計
３４  ホース
３５  配管
３６  制御装置
３７  本体
３８  吐出管
３９  給油ノズル
４０  蛇腹管
４１  開閉弁
４２  挿入センサ
４３  ベーパ吸引口
４４  油種センサ
４５  吸引ポンプ
４６  給油口センサ
【図１】
0003743550.tif 000002
【図２】
0003743550.tif 000003
【図３】
0003743550.tif 000004
【図４】
0003743550.tif 000005